(57)【特許請求の範囲】
【請求項１】
床構造体としての床パネルの上部に壁パネルを立設して構成される建物ユニットであって、
取付板と、この取付板の正面から垂直に立設した平行な２枚の係止板と、取付板の背面に突設した取付ピンとからなる建築金物の取付板が壁パネルに取付けられ、偏平な頭部とねじ棒からなるボルトの頭部が該建築金物の２枚の係止板の端面に係止され、ねじ棒が２枚の係止板間を延在して床パネルに固定されてなることを特徴とする建物ユニット。
【請求項２】
前記２枚の係止板の端面における前記取付板から離隔する側の外縁部に垂直板を立設してなることを特徴とする請求項１記載の建物ユニット。
【請求項３】
２枚の係止板間を延在したねじ棒が、取付板と、この取付板の上下端部のそれぞれに溶接される上下の支持板とからなり、前記取付板が床パネルに固定された床金物の上支持板に貫通してナットで締結されて床パネルに固定されてなることを特徴とする請求項１又は２記載の建物ユニット。
【請求項４】
請求項１〜３のいずれか１項記載の建物ユニットを上階建物ユニットとして下階建物ユニットの上に据付け、上階建物ユニットの床パネルと下階建物ユニットの壁パネルの上端部に取付けられた建築金物の係止板の端面に頭部が係止されたボルトのねじ棒が係止板を延在し、上階建物ユニットの床パネルに固定された床金物の下支持板に貫通してナットで締結されて上階建物ユニットの床パネルと下階建物ユニットの壁パネルが接合されてなることを特徴とするユニット建物。
【発明の詳細な説明】
【０００１】
【発明の属する技術分野】
本発明は、建物ユニット及びユニット建物に関する。
【０００２】
【従来の技術】
従来、上下の建物構造材を接合する建築金物として、特開平6-57823 号公報に記載の如く、上建物構造材の壁パネルの縦枠又は柱の側面に建築金物を固定し、この建築金物の台座に設けたボルト挿通孔に連結ボルトを挿通し、この連結ボルトを下建物構造材に締結するものがある。
【０００３】
【発明が解決しようする課題】
しかしながら、従来技術では、建物構造材の壁パネルの縦枠又は柱の側面にて建築金物の台座が突出するものとなり、この台座突出部が他の部材と干渉する場合がある。従って、建築金物を含む壁面内に開口を形成する場合には、開口の幅が台座の突出分だけ狭くなる。また、建築金物が取付けられる縦枠とその隣の他の縦枠との間隔が狭いと、この間隔内に設置された建築金物の台座に通した連結ボルトに締結工具を及ぼすことができず、この建築金物を採用できない。
【０００４】
本発明の課題は、建物ユニットに取付けられて用いられる建築金物の突出寸法を小さくすることにある。
【０００５】
【課題を解決するための手段】
請求項１に記載の本発明は、床構造体としての床パネルの上部に壁パネルを立設して構成される建物ユニットであって、取付板と、この取付板の正面から垂直に立設した平行な２枚の係止板と、取付板の背面に突設した取付ピンとからなる建築金物の取付板が壁パネルに取付けられ、偏平な頭部とねじ棒からなるボルトの頭部が該建築金物の２枚の係止板の端面に係止され、ねじ棒が２枚の係止板間を延在して床パネルに固定されてなるようにしたものである。
【０００６】
請求項２に記載の本発明は、請求項１に記載の本発明において更に、前記２枚の係止板の端面における前記取付板から離隔する側の外縁部に垂直板を立設してなるようにしたものである。
【０００７】
請求項３に記載の本発明は、請求項１又は２記載の建物ユニットにおいて、２枚の係止板間を延在したねじ棒が、取付板と、この取付板の上下端部のそれぞれに溶接される上下の支持板とからなり、前記取付板が床パネルに固定された床金物の上支持板に貫通してナットで締結されて床パネルに固定されてなるようにしたものである。
【０００８】
請求項４に記載の本発明は、請求項１〜３のいずれか１項記載の建物ユニットを上階建物ユニットとして下階建物ユニットの上に据付け、上階建物ユニットの床パネルと下階建物ユニットの壁パネルの上端部に取付けられた建築金物の係止板の端面に頭部が係止されたボルトのねじ棒が係止板を延在し、上階建物ユニットの床パネルに固定された床金物の下支持板に貫通してナットで締結されて上階建物ユニットの床パネルと下階建物ユニットの壁パネルが接合されてなるようにしたものである。
【０００９】
【作用】
（ａ）ボルトは壁パネルに取付けられた建築金物の取付板に立設されている２枚の係止板間を延在し、この２枚の係止板の上端面にボルトの頭部を掛け渡すようにして支持されるものとなる。このとき、ボルトの頭部を偏平（矩形）とすることにより、頭の短辺寸法はねじ棒の直径と同一とすることができ、取付板からの係止板の立上り寸法は最小でねじ棒の直径と同一にできる。従って、建築金物の壁パネルからの突出寸法（取付板厚と係止板の立上り寸法の和）を小さくできる。
【００１０】
（ｂ）ボルトの頭部を偏平（矩形）とした。従って、ボルトを２枚の係止板の間から他方の床パネルの側に挿通し、他方の床パネルの側からナットで締めるとき、該ボルトの頭部の長辺を取付板の板面に添わせることにより、ナットの回転操作によるボルトの共まわりを防止できる。共まわり防止のためにボルトの頭部を保持する操作が不要となる。
【００１１】
（ｃ）建築金物の２枚の係止板の上端面に垂直板を立設した。従って、壁パネルを現場で接合する以前の工場から現場への輸送時等に、建築金物に挿通したボルトの脱落を防止できる。また、この垂直板は取付板との間でボルトの偏平（矩形）な頭部を挟み、上述（２）の共まわり防止をより確実にする。
【００１２】
【発明の実施の形態】
図１は第１実施形態のユニット建物を示す模式図、図２は図１のII-II 線に沿う断面図、図３は図２のIII-III 線に沿う断面図、図４は建築金物を示す模式図、図５はボルトを示す模式図、図６は床金物を示す模式図、図７は第２実施形態のユニット建物を示す模式図、図８は図７のVIII-VIII 線に沿う断面図、図９は図８のIX-IX 線に沿う断面図、図１０は建築金物を示す模式図である。
【００１３】
（第１実施形態）
（建物ユニット）（図１〜図６）
建物ユニット１０は、図１〜図３に示す如く、床構造体としての床パネル１１の上部に壁パネル２１を立設して構成される。
【００１４】
床パネル１１は、図１〜図３に示す如く、根太１２と端根太１３とを釘打ち及び／又は接着剤により接合した床枠組の下面に下枠１４を釘打ち及び／又は接着剤により取着され、該床枠組の上面に床面材１５を釘打ち及び／又は接着剤により取着されて構成される。
【００１５】
壁パネル２１は、図１〜図３に示す如く、下枠２２と縦枠２３と上枠２４（不図示）とを釘打ち及び／又は接着剤により接合した壁枠組の両面に外壁面材２５、内壁面材２６を釘打ち及び／又は接着剤により取着されて構成される。
【００１６】
そして、床パネル１１と壁パネル２１は、上建築金物３１と床金物４１とボルト５１とを用いて接合される。
【００１７】
上建築金物３１は、図４に示す如く、壁パネル２１の縦枠２３の下端部に取付けられる長尺平板状の取付板３２と、取付板３２の下端部側の正面から垂直に立設して溶接された平行な２枚の係止板３３と、取付板３２の上端部側の背面の複数位置から突設して溶接された取付ピン３４とを有してなる。上建築金物３１は、壁パネル２１の縦枠２３に設けた取付孔２３Ａに取付ピン３４を係入し、取付板３２を該縦枠２３に釘打ち固定することにて、該縦枠２３に固定される。尚、第１実施形態では、上建築金物３１は壁パネル２１の相隣る縦枠２３、２３の間の狭い間隔内に配置されたものである。
【００１８】
床金物４１は、図６に示す如く、床パネル１１の端根太１３に釘打ち仮固定される平板状の取付板４２と、取付板４２の上下端部のそれぞれに溶接される上下の支持板４３、４４と、取付板４２の両側部に溶接されて設けられる補強側板４５、４５とを有する。上下の支持板４３、４４はボルト挿通孔４３Ａ、４４Ａを備える。床金物４１は、取付板４２に設けた長孔状スリット４２Ａを用いて床パネル１１の端根太１３に釘打ち仮固定される。
【００１９】
従って、床パネル１１と壁パネル２１は、上建築金物３１と床金物４１とボルト５１を用いて以下の如くにより接合される。
(1) 床パネル１１の端根太１３に床金物４１の取付板４２を釘打ち仮固定する。
【００２０】
(2) 壁パネル２１の縦枠２３に設けた取付孔２３Ａに上建築金物３１の取付ピン３４を係入し、上建築金物３１の取付板３２を該縦枠２３に釘打ち固定する。上建築金物３１の２枚の係止板３３、３３の間にボルト５１を挿入しておく。ここで、ボルト５１は、偏平（矩形）な頭部５１Ａとねじ棒５１Ｂからなり、ねじ棒５１Ｂは２枚の係止板３３、３３の間から壁パネル２１の下枠２２と床パネル１１の床面材１５とに予め設けてあるボルト挿通孔２２Ａ、１５Ａに挿通され、上記(1) の床金物４１の上支持板４３のボルト挿通孔４３Ａを貫通し、頭部５１Ａは２枚の係止板３３、３３の上端面に掛け渡されるようになる。
【００２１】
(3) 上記(2) で床金物４１の上支持板４３のボルト挿通孔４３Ａを貫通したボルト５１のねじ棒５１Ｂに、高ナット５２を締結する。これにより、床パネル１１と壁パネル２１との接合がなされる。
【００２２】
尚、建物ユニット１０にあっては、上記(1) 〜(3) を工場で完了しても良いが、上記(3) のための作業スペースを工場で確保しにくい場合には、上記(1) 、(2) までを工場生産し、上記(3) を現場施工とする。上記(3) を現場施工とするときには、床パネル１１と壁パネル２１は、床パネル１１の下面と壁パネル２１の外面とに添設されるＬ字プレート、もしくは床パネル１１から壁パネル２１に渡る面材渡り張り等により仮接合される。
【００２３】
（建物ユニットと下階建物ユニットの接合構造）
図１〜図３のユニット建物１００は、上述の建物ユニット１０を下階建物ユニット１０Ａの上に据付けたものである。このとき、下階建物ユニット１０Ａの壁パネル２１の壁枠２３の上端部には、上述の上建築金物３１と実質的に同一構成の下建築金物６１が固定されている。即ち、建物ユニット１０と下階建物ユニット１０Ａは、建物ユニット１０の側の床金物４１と下階建物ユニット１０Ａの側の下建築金物６１を用いて以下の如くに接合される。
【００２４】
(1) 下階建物ユニット１０Ａにおいて、壁パネル２１の縦枠２３に設けた取付孔２３Ａに下建築金物６１の取付ピン３４を係入し、下建築金物６１の取付板３２を該縦枠２３に釘打ち固定する。
【００２５】
(2) ボルト５１のねじ棒５１Ｂを下階建物ユニット１０Ａに固定した下建築金物６１の２枚の係止板３３、３３の間から、下階建物ユニット１０Ａの壁パネル２１の上枠２４と建物ユニット１０の床パネル１１の下枠１４に予め設けられているボルト挿通孔２４Ａ、１４Ａに挿通し、建物ユニット１０の側の床金物４１の下支持板４４のボルト挿通孔４４Ａを貫通し、頭部５１Ａを２枚の係止板３３、３３の下端面に掛け渡し可能とする。
【００２６】
(3) 上記(2) で、床金物４１の下支持板４４のボルト挿通孔４４Ａを貫通したボルト５１のねじ棒５１Ｂに、高ナット５２を締結する。これにより、建物ユニット１０の床パネル１１と下階建物ユニット１０Ａの壁パネル２１との接合がなされる。
【００２７】
尚、上記 (1)は工場生産され、上記(2) 、(3) は現場施工される。
【００２８】
従って、本実施形態によれば以下の作用がある。
（ａ）ボルト５１は壁パネル２１に取付けられた建築金物３１の取付板３２に立設されている２枚の係止板３３間を延在し、この２枚の係止板３３の上端面にボルト５１の頭部５１Ａを掛け渡すようにして支持されるものとなる。このとき、ボルト５１の頭部５１Ａを偏平（矩形）とすることにより、頭の短辺寸法はねじ棒５１Ｂの直径と同一とすることができ、取付板３２からの係止板３３の立上り寸法は最小でねじ棒５１Ｂの直径と同一にできる。従って、建築金物３１の壁パネル２１からの突出寸法（取付板３２厚と係止板３３の立上り寸法の和）を小さくできる。
【００２９】
（ｂ）ボルト５１の頭部５１Ａを偏平（矩形）とした。従って、ボルト５１を２枚の係止板３３の間から床パネル１１の側に挿通し、床パネル１１の側から高ナット５２で締めるとき、該ボルト５１の頭部５１Ａの長辺を取付板３２の板面に添わせることにより、ナットの回転操作によるボルト５１の共まわりを防止できる。共まわり防止のためにボルト５１の頭部５１Ａを保持する操作が不要となる。
【００３０】
（第２実施形態）（図７〜図１０）
第２実施形態は建物ユニット１０を基礎１に接合したものであり、第１実施形態と実質的に異なる点は以下の通りである。
【００３１】
(1) 建物ユニット１０の床パネル１１と壁パネル２１の接合は、第１実施形態におけると基本的に同一の建築金物３１、床金物４１、ボルト５１を用いて基本的に同一接合構造を採用している。但し、第２実施形態の建築金物３１は、図１０に示す如く、２枚の係止板３３、３３の上端面における取付板３２から離隔する側の外縁部に垂直板３５を立設して溶接したものである。
【００３２】
この垂直板３５の採用により、床パネル１１と壁パネル２１とを現場で接合する以前の工場から現場への輸送時等に、建築金物３１に挿通したボルト５１の脱落を防止できる。また、この垂直板３５は取付板３２との間でボルト５１の偏平（矩形）な頭部５１Ａを挟み、このボルト５１に前述した高ナット５２を締結する際の共まわり防止をより確実にする。
【００３３】
(2) 建物ユニット１５を基礎１に載置し、基礎１に植設してあるアンカーボルト２により固定する。建物ユニット１０を基礎１に据付けるとき、床パネル１１の下枠１４に設けてあるボルト挿通孔１４Ａ、床金物４１の下支持板４４のボルト挿通孔４４Ａにアンカーボルト２を貫通し、ボルト挿通孔４４Ａを貫通したアンカーボルト２に高ナット３を締結するものである。
【００３４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３５】
【発明の効果】
以上のように本発明によれば、建物ユニットに取付けられて用いられる建築金物の突出寸法を小さくすることができる。
【図面の簡単な説明】
【図１】図１は第１実施形態のユニット建物を示す模式図である。
【図２】図２は図１のII-II 線に沿う断面図である。
【図３】図３は図２のIII-III 線に沿う断面図である。
【図４】図４は建築金物を示す模式図である。
【図５】図５はボルトを示す模式図である。
【図６】図６は床金物を示す模式図である。
【図７】図７は第２実施形態のユニット建物を示す模式図である。
【図８】図８は図７のVIII-VIII 線に沿う断面図である。
【図９】図９は図８のIX-IX 線に沿う断面図である。
【図１０】図１０は建築金物を示す模式図である。
【符号の説明】
１０  建物ユニット
１１  床パネル
２１  壁パネル
３１  建築金物
３２  取付板
３３  係止板
３５  垂直板
４１  床金物
５１  ボルト
５１Ａ  頭部
５１Ｂ  ねじ棒
１００  ユニット建物
【図１】
0003566534.tif 000002
【図２】
0003566534.tif 000003
【図３】
0003566534.tif 000004
【図４】
0003566534.tif 000005
【図５】
0003566534.tif 000006
【図６】
0003566534.tif 000007
【図７】
0003566534.tif 000008
【図８】
0003566534.tif 000009
【図９】
0003566534.tif 000010
【図１０】
0003566534.tif 000011